(57)【特許請求の範囲】
【請求項１】
クランクシャフトの軸端に取り付けられるハブと、このハブの外周側に同心的に配置された環状質量体を、ゴム状弾性材料からなる第一の弾性体を介して円周方向変位可能に連結した構造の第一の動的吸振部と、前記ハブの外周側に配置された円周方向複数の断片状質量体を、ゴム状弾性材料からなる第二の弾性体を介して前記ハブに径方向及び円周方向変位可能に連結した構造であって捩り方向共振周波数が前記第一の動的吸振部の捩り方向共振周波数より低周波数側にチューニングされた第二の動的吸振部と、前記断片状質量体の外周に設けられて前記環状質量体の内周面と径方向に対向され遠心力によって前記環状質量体の内周面と摩擦係合可能な摩擦係合部を備え、前記第一の動的吸振部と第二の動的吸振部が前記摩擦係合部を介して互いに並列に連結されたときの捩り方向共振周波数が、前記第一の動的吸振部の捩り方向共振周波数より高周波数側にチューニングされたことを特徴とするトーショナルダンパ。
【請求項２】
第一の動的吸振部の捩り方向共振周波数が、クランクシャフトの捩り方向の振幅ピークとなる周波数域にチューニングされ、第二の動的吸振部の捩り方向共振周波数が、前記第一の動的吸振部によって二つに分けられた振幅ピークのうち低周波側の振幅ピークの周波数域にチューニングされ、第一の動的吸振部と第二の動的吸振部が摩擦係合部を介して互いに連結されたときの捩り方向共振周波数が、前記第一の動的吸振部によって二つに分けられた振幅ピークのうち高周波側の振幅ピークの周波数域にチューニングされたことを特徴とする請求項１に記載のトーショナルダンパ。
【請求項３】
摩擦係合部が断片状質量体の外周に一体的に接合されたゴム状弾性材料で形成されたことを特徴とする請求項１又は２に記載のトーショナルダンパ。
【発明の詳細な説明】
【技術分野】
【０００１】
本発明は、例えば自動車エンジンのクランクシャフト等、回転軸に取り付けられるトーショナルダンパに関する。
【背景技術】
【０００２】
自動車エンジンのクランクシャフトの端部に取り付けられるプーリには、エンジンの駆動に伴ってクランクシャフトに生じる捩り振動（回転方向の振動）による不具合の発生を防止するための捩り振動低減機能を備えており、すなわちトーショナルダンパが構成されている。この種のトーショナルダンパはゴム弾性体と質量体からなる動的吸振部を備え、この動的吸振部の共振周波数をクランクシャフトの捩り振幅が最大となる振動周波数域にチューニングし、動的吸振部の共振による振動変位が入力振動と逆方向へ生じることによって、クランクシャフトの捩り振幅のピークを低減する制振効果を発揮するものである。
【０００３】
特に、クランクシャフトの捩り振動の振幅が大きい場合は、一組の動的吸振部を設けたシングルマスダンパではなく、共振周波数の異なる二組の動的吸振部を設けたダブルマスダンパを用いて捩り振動の低減を図っている。
【０００４】
図４は、従来のダブルマス型トーショナルダンパの一例を示すもので、すなわち内周のボス部３０１において不図示のクランクシャフトの軸端に取り付けられるハブ３００と、このハブ３００の外周側に同心的に配置された環状質量体１０１を、ゴム状弾性材料（ゴム材料又はゴム状弾性を有する合成樹脂材料からなる第一の弾性体１０２を介して弾性的に連結した構造の第一の動的吸振部１００と、ハブ３００の外周側に第一の動的吸振部１００と並んで同心的に配置された第二の質量体２０１を、ゴム状弾性材料からなる第二の弾性体２０２を介して弾性的に連結した構造の第二の動的吸振部２００を備える。
【０００５】
そして図５に示すように、従来のダブルマス型トーショナルダンパは、捩り方向共振周波数がクランクシャフトの捩り振幅のピークｐ１の周波数ｆ１にチューニングされた第一の動的吸振部１００によって、クランクシャフトの捩り振幅のピークｐ１をそれよりも振幅の小さい２つの振幅ピークｐ２，ｐ３に分け、この分けられた振幅ピークｐ２，ｐ３のうち振幅ピークｐ２の周波数ｆ２にチューニングされた第二の動的吸振部２００によって、振幅ピークｐ２をさらにそれよりも振幅の小さい２つの振幅ピークｐ４，ｐ５に分けるものである。なお、この種のダブルマス型トーショナルダンパとしては、例えば特許文献１のようなものが開示されている。
【先行技術文献】
【特許文献】
【０００６】
【特許文献１】実開昭６０−１号公報
【発明の概要】
【発明が解決しようとする課題】
【０００７】
しかしながら、従来のダブルマス型トーショナルダンパによれば、第二の動的吸振部２００は、第一の動的吸振部１００によって分けられた振幅ピークｐ２，ｐ３のうちの一方しか低減できないという問題がある。
【０００８】
また、他方の振幅ピーク（図示の例ではｐ３）も低減するためには、さらに第三の動的吸振部を設けてトリプルマス型とすることが考えられるが、この場合はトーショナルダンパの重量が全体として重くなってしまうばかりか、取付スペースも増大してしまうといった問題がある。
【０００９】
本発明は、以上のような点に鑑みてなされたものであって、その技術的課題は、重量や取付スペースの増大をきたすことなくトリプルマス型と同様の振動低減効果を得ることの可能なトーショナルダンパを提供することにある。
【課題を解決するための手段】
【００１０】
上述した技術的課題を有効に解決するための手段として、請求項１の発明に係るトーショナルダンパは、クランクシャフトの軸端に取り付けられるハブと、このハブの外周側に同心的に配置された環状質量体を、ゴム状弾性材料からなる第一の弾性体を介して円周方向変位可能に連結した構造の第一の動的吸振部と、前記ハブの外周側に配置された円周方向複数の断片状質量体を、ゴム状弾性材料からなる第二の弾性体を介して前記ハブに径方向及び円周方向変位可能に連結した構造であって捩り方向共振周波数が前記第一の動的吸振部の捩り方向共振周波数より低周波数側にチューニングされた第二の動的吸振部と、前記断片状質量体の外周に設けられて前記環状質量体の内周面と径方向に対向され遠心力によって前記環状質量体の内周面と摩擦係合可能な摩擦係合部を備え、前記第一の動的吸振部と第二の動的吸振部が前記摩擦係合部を介して互いに並列に連結されたときの捩り方向共振周波数が、前記第一の動的吸振部の捩り方向共振周波数より高周波数側にチューニングされたものである。
【００１１】
上記構成において、回転速度が所定未満の低速回転域では、断片状質量体の外周に設けられた摩擦係合部は環状質量体の内周面と非接触状態にあるため、第一の動的吸振部と第二の動的吸振部は互いに独立した捩り方向共振周波数を有し、第一の動的吸振部は所定周波数域のクランクシャフトの捩り振動を低減し、第二の動的吸振部はそれより低周波数側でクランクシャフトの捩り振動を低減することができる。また、回転速度が所定以上の高速回転域では、断片状質量体の外周に設けられた摩擦係合部が遠心力によって前記環状質量体の内周面と摩擦係合され、このため第一の動的吸振部と第二の動的吸振部は摩擦係合部を介して互いに並列に連結された状態となって、第一の動的吸振部の捩り方向共振周波数より高周波数側でクランクシャフトの捩り振動を低減することができる。
【００１２】
請求項２の発明に係るトーショナルダンパは、請求項１に記載された構成において、第一の動的吸振部の捩り方向共振周波数が、クランクシャフトの捩り方向の振幅ピークとなる周波数域にチューニングされ、第二の動的吸振部の捩り方向共振周波数が、前記第一の動的吸振部によって二つに分けられた振幅ピークのうち低周波側の振幅ピークの周波数域にチューニングされ、第一の動的吸振部と第二の動的吸振部が摩擦係合部を介して互いに連結されたときの捩り方向共振周波数が、前記第一の動的吸振部によって二つに分けられた振幅ピークのうち高周波側の振幅ピークの周波数域にチューニングされたものである。
【００１３】
上記構成によれば、クランクシャフトの捩り振幅のピークは第一の動的吸振部によって低減され、それによって分けられた振幅ピークのうち低周波側の振幅ピークは第二の動的吸振部によって低減され、高周波側の振幅ピークは摩擦係合部が環状質量体の内周面と摩擦係合されることによって互いに並列に連結された第一の動的吸振部と第二の動的吸振部によって低減される。
【００１４】
請求項３の発明に係るトーショナルダンパは、請求項１又は２に記載された構成において、摩擦係合部が断片状質量体の外周に一体的に接合されたゴム状弾性材料で形成されたものである。
【００１５】
上記構成によれば、ゴム状弾性材料からなる摩擦係合部の摩擦係合力が大きいことに加え、環状質量体に作用する遠心力によってこの環状質量体と環状質量体の内周面との間で摩擦係合部が圧縮されてそのばね定数が上昇するので、第一の動的吸振部と第二の動的吸振部が摩擦係合部を介して確実に連結され、しかも摩擦係合部と環状質量体の内周面との接触による打音や第一の動的吸振部と第二の動的吸振部の接触による打音や損傷を防止することができる。
【発明の効果】
【００１６】
本発明に係るトーショナルダンパによれば、第一の動的吸振部と第二の動的吸振部が遠心力によって摩擦係合部を介して互いに並列に連結可能としたことによって、重量や取付スペースの増大をきたすことなくトリプルマス型のトーショナルダンパと同様の広い周波数域での振動低減効果を得ることができる。
【図面の簡単な説明】
【００１７】
【図１】本発明に係るトーショナルダンパの好ましい実施の形態を、軸心Ｏの延長方向から見た図である。
【図２】図１におけるII−Ｏ−II’線で切断して示す断面図である。
【図３】本発明に係るトーショナルダンパの特性を示す線図である。
【図４】従来のダブルマス型トーショナルダンパの一例を、軸心Ｏを通る平面で切断して示す半断面図である。
【図５】従来のダブルマス型トーショナルダンパの特性を示す線図である。
【発明を実施するための形態】
【００１８】
以下、本発明に係るトーショナルダンパの好ましい実施の形態を、図１及び図２を参照しながら説明する。
【００１９】
図１及び図２に示すトーショナルダンパは、不図示のクランクシャフトの軸端に取り付けられるハブ４と、このハブ４の外周側に同心的に配置された第一の動的吸振部１及び第二の動的吸振部２と、遠心力によって第一の動的吸振部１と第二の動的吸振部２を互いに並列に連結可能な摩擦係合部３を備える。
【００２０】
詳しくは、ハブ４は金属材料の鋳造等により製作された第一ハブ部材４１及び第二ハブ部材４２からなり、この第一ハブ部材４１と第二ハブ部材４２を互いに一体的に結合したものである。このうち第一ハブ部材４１は、内周にクランクシャフトの軸端への固定部であるボス部４１ａと、このボス部４１ａから外径側へ展開した中間部４１ｂと、この中間部４１ｂの外径端から円筒状に延びるリム部４１ｃとからなり、第二ハブ部材４２は、内径端が第一ハブ部材４１のボス部４１ａの一端外周面に嵌合等により一体化された円盤部４２ａと、この円盤部４２ａの外径端から円筒状に延びるリム部４２ｂとからなる。
【００２１】
第一の動的吸振部１は、ハブ４における第一ハブ部材４１のリム部４１ｃの外周面に圧入嵌着される金属製のスリーブ１１と、その外周側に同心配置された環状質量体１２と、この環状質量体１２とスリーブ１１の間にゴム状弾性材料（ゴム材料又はゴム状弾性を有する合成樹脂材料）で一体的に加硫成形（加硫接着）された第一の弾性体１３とで構成される。すなわち、第一の動的吸振部１は、スリーブ１１を第一ハブ部材４１におけるリム部４１ｃの外周面に圧入嵌着することによって、環状質量体１２を、第一の弾性体１３及びスリーブ１１を介してハブ４に円周方向変位可能に連結した構造となっている。
【００２２】
第一の動的吸振部１における環状質量体１２は金属材料の鋳造などにより製作されたものであって、ハブ４における第一ハブ部材４１のリム部４１ｃの外周側及び第二ハブ部材４２のリム部４２ｂの外周側の双方を包囲する軸方向長さを有する。また、環状質量体１２の外周面にはポリＶ溝１２ａが形成され、不図示の無端ベルトが巻き掛けられるようになっている。
【００２３】
ここで、図３に示す特性線図において、ａはトーショナルダンパを取り付けない場合のクランクシャフトの捩り振動特性を示す特性線であり、ｂはシングルマス型のトーショナルダンパ、すなわち第一の動的吸振部１のみを有するトーショナルダンパを取り付けた場合の振動特性を示す特性線であり、ｃは図示の実施の形態のトーショナルダンパを取り付けた場合の振動特性を示す特性線である。そして第一の動的吸振部１の捩り方向共振周波数は、第一の弾性体１３の円周方向剪断ばね定数と、環状質量体１２の円周方向慣性質量によって、クランクシャフトの捩り方向共振周波数にチューニングされ、すなわち図３に示す振動特性ａにおける振幅ピークｐ１となる周波数ｆ１にチューニングされている。
【００２４】
第二の動的吸振部２は、ハブ４における第二ハブ部材４２のリム部４２ｂの外周側かつ第一の動的吸振部１における環状質量体１２の一端寄り（図２における左端寄り）の内周側に位置して配置され金属環を円周方向等間隔で切断した同形同大の円弧状をなす円周方向複数（図１に示す例では４個）の断片状質量体２１と、各断片状質量体２１と第二ハブ部材４２のリム部４２ｂの外周面の間にゴム状弾性材料で一体的に加硫成形（加硫接着）された第二の弾性体２２とで構成される。すなわち、第二の動的吸振部２は、各断片状質量体２１を、第二の弾性体２２を介してハブ４に円周方向及び径方向変位可能に連結した構造となっている。
【００２５】
第二の弾性体２２は、円周方向へ互いに隣接する断片状質量体２１，２１間の位置でスリット２ａを介して円周方向へ分離した形状となっている。このため、各断片状質量体２１は、回転時に作用する遠心力によって、第二の弾性体２２の引張弾性に抗して径方向へ変位可能となっている。
【００２６】
第二の動的吸振部２の捩り方向共振周波数は、第二の弾性体２２の円周方向剪断ばね定数と断片状質量体２１の円周方向慣性質量によって、第一の動的吸振部１の捩り方向共振周波数ｆ１より適宜低周波数域にチューニングされ、詳しくは図３に示すように、第一の動的吸振部１によって、クランクシャフトの捩り振幅のピークｐ１が分けられた小さい振幅ピークｐ２，ｐ３のうち低周波数側の振幅ピークｐ２の周波数ｆ２にチューニングされている。
【００２７】
第二の弾性体２２を形成しているゴム状弾性材料は、各断片状質量体２１を包囲するように成形されている。すなわち各断片状質量体２１の軸方向両端面は第二の弾性体２２から延びる弾性層２２ａで被覆されており、各断片状質量体２１の外周面を覆う弾性層によって摩擦係合部３が形成されている。摩擦係合部３の外周面は、当該トーショナルダンパの非回転状態では、第一の動的吸振部１における環状質量体１２の一端寄りの内周面１２ｂとわずかな隙間を介して近接対向しており、所定の回転数以上では、遠心力による断片状質量体２１の径方向変位に伴い、環状質量体１２の一端寄りの内周面１２ｂと密接して摩擦係合状態となるものである。
【００２８】
そして、摩擦係合部３の外周面が環状質量体１２の一端寄りの内周面１２ｂと摩擦係合した状態では、遠心力が作用する断片状質量体２１によって環状質量体１２との間で圧縮力を受ける摩擦係合部３を介して、第一の動的吸振部１と第二の動的吸振部２がトルク伝達方向に対して互いに並列に連結された状態となり、この状態では摩擦係合部３も、外径方向へ変位しようとする断片状質量体２１に押圧されて圧縮されることによって、ばね定数の高い弾性体として機能する。したがって、摩擦係合部３を介して連結された第一の動的吸振部１と第二の動的吸振部２による捩り方向共振周波数は、第一の動的吸振部１の捩り方向共振周波数ｆ１より適宜高周波数側にあり、好ましくは図３に示すように、第一の動的吸振部１によって、クランクシャフトの捩り振幅のピークｐ１が分けられた小さい振幅ピークｐ２，ｐ３のうち高周波数側の振幅ピークｐ３の周波数ｆ３にチューニングされている。
【００２９】
上述の構成を備えるトーショナルダンパは、ハブ４における第一ハブ部材４１のボス部４１ａの軸孔において、不図示のボルト及びキーによってエンジンのクランクシャフトの軸端に固定され、このクランクシャフトと共に回転されるものである。
【００３０】
そして、クランクシャフトの回転に伴って、ハブ４を介して入力される捩り振動の周波数が、クランクシャフトの捩り振幅のピークｐ１となる周波数ｆ１付近にある場合は、このような周波数の捩り振動を生じる回転数域では、第二の動的吸振部２における断片状質量体２１の外周に設けられた摩擦係合部３はわずかな隙間を介して第一の動的吸振部１における環状質量体１２の内周面１２ｂと非接触状態にある。このため、捩り方向共振周波数がクランクシャフトの捩り振幅のピークｐ１の周波数ｆ１にチューニングされた第一の動的吸振部１が第二の動的吸振部２と独立して共振し、その共振によるトルクが入力振動のトルクと逆方向へ生じる動的吸振作用によって、クランクシャフトの捩り振幅のピークｐ１が低減されると共に、それよりも振幅の小さい２つの振幅ピークｐ２，ｐ３に分けられる。
【００３１】
また、ハブ４を介して入力される捩り振動の周波数が、第一の動的吸振部１によって分けられた振幅ピークｐ２，ｐ３のうち、クランクシャフトの捩り振幅のピークｐ１より低周波数側の振幅ピークｐ２となる周波数ｆ２付近にある場合は、このような周波数と対応する回転数はピークｐ１の捩り振動を生じる回転数よりさらに低速回転側にあるため、この場合も、摩擦係合部３は環状質量体１２の内周面１２ｂと非接触状態にある。したがって捩り方向共振周波数が振幅ピークｐ２の周波数ｆ２にチューニングされた第二の動的吸振部２が共振し、各断片状質量体２１は同形同大で質量が互いに等しいため、互いに連続しているかのように併進的に振動変位し、その共振によるトルクが入力振動のトルクと逆方向へ生じる動的吸振作用によって、振幅ピークｐ２が低減されると共に、さらにそれよりも振幅の小さい２つの振幅ピークｐ４，ｐ５に分けられる。
【００３２】
さらに、ハブ４を介して入力される捩り振動の周波数が、第一の動的吸振部１によって分けられた振幅ピークｐ２，ｐ３のうち、クランクシャフトの捩り振幅のピークｐ１より高周波数側の振幅ピークｐ３となる周波数ｆ３付近にある場合は、このような周波数ｆ３と対応する高速回転域では、第二の動的吸振部２の断片状質量体２１に作用する遠心力の増大によって、摩擦係合部３の外周面が環状質量体１２の一端寄りの内周面１２ｂと摩擦係合し、すなわちこの摩擦係合部３を介して、第一の動的吸振部１と第二の動的吸振部２がトルク伝達方向に対して互いに並列に連結された状態となっている。そしてこのようにして連結された第一の動的吸振部１と第二の動的吸振部２は周波数ｆ３付近で共振し、その共振によるトルクが入力振動のトルクと逆方向へ生じる動的吸振作用によって、振幅ピークｐ３が低減されると共に、さらにそれよりも振幅の小さい２つの振幅ピークｐ６，ｐ７に分けられる。
【００３３】
すなわち、図示の実施の形態によれば、クランクシャフトの捩り振幅のピークｐ１は第一の動的吸振部１によって低減され、それによって分けられた振幅ピークｐ２，ｐ３のうち低周波側の振幅ピークｐ２は第二の動的吸振部２によって低減され、高周波側の振幅ピークｐ３は摩擦係合部３が遠心力で環状質量体１２の内周面１２ｂと摩擦係合されることによって互いに並列に連結された第一の動的吸振部１と第二の動的吸振部２によって低減される。したがって、第三の動的吸振部を設けてトリプルマス型とした場合のような重量や取付スペースの増大をきたすことなく、第一の動的吸振部１と第二の動的吸振部２だけでトリプルマス型のトーショナルダンパと同様の広い周波数域（回転数域）で振動を低減することができる。
【００３４】
また、第二の動的吸振部２における各断片状質量体２１の軸方向両端面は第二の弾性体２２から延びる弾性層２２ａで被覆されているため、第一の動的吸振部１と第二の動的吸振部２が異なる回転数域で軸方向へ共振したような場合でも、断片状質量体２１と第一ハブ部材４１のリム部４１ｃ及びスリーブ１１が金属接触するようなことがなく、したがって金属接触による損傷を防止でき、打音を低減することができる。
【符号の説明】
【００３５】
１  第一の動的吸振部
１２  環状質量体
１３  第一の弾性体
２  第二の動的吸振部
２ａ  スリット
２１  断片状質量体
２２  第二の弾性体
２２ａ  弾性層
３  摩擦係合部
４  ハブ
【図１】
0006438309.tif 000002
【図２】
0006438309.tif 000003
【図３】
0006438309.tif 000004
【図４】
0006438309.tif 000005
【図５】
0006438309.tif 000006